(57)【要約】【課題】作業アタッチメント装着部の後方位置に設置された部品の点検や整備を行う場合に、作業者の安全性を確保してメンテナンスが容易に行えるようにする。【解決手段】上部旋回体１２の左右略中央位置に作業アタッチメント装着部１３を設けた建設機械に於いて、左右のウエブ板２０，２０と前面板２１とエンジンを被蔽するハウス１６とに囲繞されたスペースには、ハウス１６の上面よりも低位置にステップ２３を取り付ける。【選択図】  図２
2004238864.tif 000002
【特許請求の範囲】
【請求項１】
下部走行体の上に上部旋回体を旋回自在に載置し、該上部旋回体の左右略中央位置に、左右に対峙して立設されたウエブ板と、左右のウエブ板間に架設された前面板とからなる作業アタッチメント装着部を設け、該作業アタッチメント装着部の後方にエンジンを搭載してハウスにて被蔽した建設機械に於いて、前記左右のウエブ板と前面板とエンジンとに囲繞されたスペースには、前記ハウスの上面よりも低位置にステップを取り付けたことを特徴とする建設機械のステップ装置。
【請求項２】
上記ステップは旋回モータの上方位置に取り付けられた請求項１記載の建設機械のステップ装置。
【請求項３】
上記ステップはコントロールバルブの上方位置に取り付けられた請求項１記載の建設機械のステップ装置。
【発明の詳細な説明】
【０００１】
【発明の属する技術分野】
本発明は建設機械のステップ装置に関するものであり、特に、油圧ショベル等の建設機械に於いて点検や整備を行うためのステップ装置に関するものである。
【０００２】
【従来の技術】
従来、下部走行体の上に上部旋回体を旋回自在に載置し、該上部旋回体の左右略中央位置に、左右に対峙して立設されたウエブ板と、左右のウエブ板間に架設された前面板とからなる作業アタッチメント装着部を設け、該作業アタッチメント装着部の後方にエンジンを搭載してハウスにて被蔽した建設機械に於いて、前記作業アタッチメント装着部の後方に設置された部品の点検や整備を行う際は、作業者がハウスの上面に上がり、ひざを折り曲げてうずくまった姿勢で行うか、或いは、ハウスの上面に腹ばいになって行っている。従って、作業姿勢が不安定となり、作業者の安全性に欠けていた。
【０００３】
ハウスへの昇降を容易にするために、ハウス（建屋カバー）の上下に離間して上側ステップ部及び下側ステップ部を開閉可能に設け、下側ステップ部はハウスから開いた状態での張り出し寸法が上側ステップ部よりも大きくなるように少なくとも２段階で開閉するように構成したものが知られている（例えば特許文献１）。
【０００４】
【特許文献１】
特開平９−２０３０７７号公報（第２〜８頁、図１）。
【０００５】
【発明が解決しようとする課題】
上記特許文献１記載のステップ装置は、作業アタッチメント装着部の側方に設けられたハウスの前面部に設けられており、作業アタッチメント装着部の後方位置にあるハウス内の点検や整備を行う場合に、上記ステップ装置を設けると作業アタッチメントにステップ部が接触する虞がある。
【０００６】
そこで、作業アタッチメント装着部の後方位置に設置された部品の点検や整備を行う場合に、作業者の安全性を確保してメンテナンスが容易に行えるようにするために解決すべき技術的課題が生じてくるのであり、本発明はこの課題を解決することを目的とする。
【０００７】
【課題を解決するための手段】
本発明は上記目的を達成するために提案されたものであり、下部走行体の上に上部旋回体を旋回自在に載置し、該上部旋回体の左右略中央位置に、左右に対峙して立設されたウエブ板と、左右のウエブ板間に架設された前面板とからなる作業アタッチメント装着部を設け、該作業アタッチメント装着部の後方にエンジンを搭載してハウスにて被蔽した建設機械に於いて、前記左右のウエブ板と前面板とエンジンとに囲繞されたスペースには、前記ハウスの上面よりも低位置にステップを取り付けた建設機械のステップ装置、
及び、上記ステップは旋回モータの上方位置に取り付けられた建設機械のステップ装置、
及び、上記ステップはコントロールバルブの上方位置に取り付けられた建設機械のステップ装置を提供するものである。
【０００８】
【発明の実施の形態】
以下、本発明の一実施の形態を図面に従って詳述する。図１は建設機械の一例として油圧ショベル１０を示し、下部走行体１１の上に上部旋回体１２が旋回自在に載置されている。上部旋回体１２の前部には作業アタッチメント装着部１３を設け、該作業アタッチメント装着部１３にバケット１４ａを取り付けたブーム１４ｂ等の作業アタッチメント１４を俯仰自在に装着してある。また、該作業アタッチメント装着部１３の後方にエンジン１５を搭載し、このエンジン１５をハウス１６にて被蔽してある。
【０００９】
また、下部走行体１１と上部旋回体１２との間に旋回輪１７が配設され、図示は省略するが、該旋回輪１７の内部にリングギヤとピニオンギヤとを組み合わせてあり、後述する旋回モータの駆動によりピニオンギヤを回転させて上部旋回体１２を旋回させるように構成してある。尚、符号１８は該作業アタッチメント装着部１３の側方に設けられているキャビンである。
【００１０】
図２乃至図４に示すように、前記作業アタッチメント装着部１３は上部旋回体１２の左右略中央位置に設けられ、左右に対峙して立設されたウエブ板２０，２０と、左右のウエブ板２０，２０間に架設された前面板２１とからなり、左右のウエブ板２０，２０には夫々前記作業アタッチメント１４のフートピン取り付け孔２２，２２が開穿されている。前述したように、作業アタッチメント装着部１３の後方にはエンジン１５を搭載してあり、該エンジン１５はハウス１６にて被蔽されている。
【００１１】
ここで、前記左右のウエブ板２０，２０と前面板２１とエンジン１５とに囲繞されたスペースには、前記ハウス１６の上面よりも低位置にステップ２３を取り付けてある。該ステップ２３は鋼板にて形成され、ハウス１６への取り付け部２３ａを上方または下方に折り返してあるとともに、他の周縁部２３ｂ〜２３ｅも上方または下方へ折り返して強度を確保してある。また、一部の周縁部２３ｅを斜めにカットして、後述するように、該ステップ２３の下方位置に設けられている部品Ｐの点検及び整備を容易にしている。
【００１２】
前記部品Ｐとしては、例えば旋回モータが挙げられる。これは、前述した旋回輪１７のピニオンギヤを回転させて上部旋回体１２を旋回させるために、旋回モータを作業アタッチメント装着部１３の後方位置に配置する必要性がある。従って、前記左右のウエブ板２０，２０と前面板２１とエンジン１５とに囲繞されたスペースに旋回モータが配設されることが多い。この場合は、前記ステップ２３は旋回モータの上方位置に取り付けられることになる。従って、旋回モータの邪魔になることなくステップ１６を取り付けることができる。
【００１３】
また、前記部品Ｐとしてコントロールバルブを挙げることもできる。これは、前記ハウス１６内にはエンジン１５の他に油圧ポンプ（図示せず）等の油圧機器も配設されており、この油圧ポンプから吐出された作動油を作業アタッチメントに装着されている油圧シリンダへ給排するために、コントロールバルブを作業アタッチメント装着部１３の後方位置に配置する必要性がある。このため、前記左右のウエブ板２０，２０と前面板２１とエンジン１５とに囲繞されたスペースにコントロールバルブが配設されることがある。この場合は、前記ステップ２３はコントロールバルブの上方位置に取り付けられることになる。従って、コントロールバルブの邪魔になることなくステップ１６を取り付けることができる。
【００１４】
而して、前記部品Ｐの上方位置且つハウス１６の上面よりも低位置にステップ２３を取り付けたことにより、ハウス１６の上面への昇降が簡単になり、ハウス１６の上面からハウス１６内のエンジン１５をはじめとする各部品の点検や整備が容易となる。また、ハウス１６の上面には上らずにハウス１６内の点検や整備を行う場合、或いは、前記左右のウエブ板２０，２０と前面板２１とエンジン１５とに囲繞されたスペースに配置された部品Ｐや他の部品の点検や整備を行う場合に、作業者が該ステップ１６に足をかけて作業を行うことにより、作業姿勢が安定する。
【００１５】
斯くして、従来のように、作業者がハウス１６の上面に上がり、ひざを折り曲げてうずくまった姿勢や、或いは、ハウス１６の上面に腹ばいになる姿勢をとる必要がなくなり、安定した姿勢で作業が行えるため作業者の安全性を確保することができる。
【００１６】
尚、本発明は、本発明の精神を逸脱しない限り種々の改変を為すことができ、そして、本発明が該改変されたものに及ぶことは当然である。
【００１７】
【発明の効果】
本発明は上記一実施の形態に詳述したように、請求項１記載の発明は、上部旋回体に設けられている作業アタッチメント装着部の左右のウエブ板と前面板とエンジンとに囲繞されたスペースには、ハウスの上面よりも低い位置にステップを取り付けてあるので、ハウスの上面への昇降が簡単になる。また、ハウス内の部品や前記左右のウエブ板と前面板とエンジンとに囲繞されたスペースに配置された部品の点検や整備を行う場合に、作業者が該ステップに足をかけて作業を行うことにより、作業姿勢が安定して作業者の安全性が向上する。
【００１８】
請求項２記載の発明は、上記ステップは旋回モータの上方位置に取り付けられているので、請求項１記載の発明の効果に加えて、旋回モータの邪魔になることなくステップを取り付けることができる。
【００１９】
請求項３記載の発明は、上記ステップはコントロールバルブの上方位置に取り付けられているので、請求項１記載の発明の効果に加えて、コントロールバルブの邪魔になることなくステップを取り付けることができる。
【図面の簡単な説明】
図は本発明の一実施の形態を示すものである。
【図１】油圧ショベルの側面図。
【図２】作業アタッチメント装着部の斜視図。
【図３】作業アタッチメント装着部の平面図。
【図４】作業アタッチメント装着部の側面図。
【符号の説明】
１０        油圧ショベル
１１        下部走行体
１２        上部旋回体
１３        作業アタッチメント装着部
１５        エンジン
２０        ウエブ板
２１        前面板
２３        ステップ
Ｐ        部品
【図１】
2004238864.tif 000003
【図２】
2004238864.tif 000004
【図３】
2004238864.tif 000005
【図４】
2004238864.tif 000006